(57)【特許請求の範囲】
【請求項１】
男性の排尿後の残存尿のふき取りに使用される用具であり、
第一端縁を揃えた状態で複数枚の水分吸収性を有する吸収性シートが積層されており、
該吸収性シートの第一端縁が取り外し可能に連結されており、
前記吸収性シートは、
前記第一端部の背面に貼り直し可能な再剥離接着剤層が設けられている
ことを特徴とする男性用エチケットシート。
【請求項２】
前記吸収性シートの第一端縁近傍には、破断線が形成されている
ことを特徴とする請求項１記載の男性用エチケットシート。
【請求項３】
前記複数の吸収性シートの第一端縁を連結する連結部が設けられており、
該連結部は、
前記吸収性シートの面方向に沿って切り取り可能に形成されている
ことを特徴とする請求項１または２記載の男性用エチケットシート。
【請求項４】
前記吸収性シートは、
第一面と、該第一面と反対側に位置する第二面と、を備えており、
前記第一面および／または前記第二面に凹凸形状が形成されている
ことを特徴とする請求項１、２または３記載の男性用エチケットシート。
【請求項５】
前記吸収性シートの前記第一面または前記第二面には、
不透水性の不透水性層が設けられている
ことを特徴とする請求項４記載の男性用エチケットシート。
【請求項６】
前記不透水性層が、
不透水性の不透水性フィルムで形成されている
ことを特徴とする請求項５記載の男性用エチケットシート。
【請求項７】
前記不透水性フィルムは、
貼り直し可能な再剥離接着剤層を介して前記吸収性シートに貼りつけられている
ことを特徴とする請求項６記載の男性用エチケットシート。
【請求項８】
前記吸収性シートは、
前記不透水性層または前記不透水性フィルムが上面に位置するように積層されている
ことを特徴とする請求項５、６または７記載の男性用エチケットシート。
【請求項９】
前記吸収性シートは、
前記第一端縁に対向する第二端縁を有する第二端部には、前記第二端縁が上面側に折り返された係合部が形成されている
ことを特徴とする請求項１乃至８記載のいずれかに記載の男性用エチケットシート。
【請求項１０】
前記吸収性シートが、水解性を有する素材で形成されている
ことを特徴とする請求項１乃至９記載のいずれかに記載の男性用エチケットシート。
【請求項１１】
前記吸収性シートは、携帯可能な大きさに形成されている
ことを特徴とする請求項１乃至１０記載のいずれかに記載の男性用エチケットシート。
【請求項１２】
前記用具は、
前記積層された吸収性シートを挟み込むように設けられたカバーケースを備えており、
該カバーケースは、
ベース部材と、蓋部材と、前記ベース部材の基端と前記蓋部材の基端とを連結する背面連結部と、を備えており、
前記ベース部材と前記蓋部材の先端部が前記基端部を支点として接近した状態を維持し得るように離間防止部材が設けられている
ことを特徴する請求項１乃至１１記載のいずれかに記載の男性用エチケットシート。
【発明の詳細な説明】
【技術分野】
【０００１】
本発明は、男性用エチケットシートに関する。さらに詳しくは、男性の排尿後尿滴下の原因となる尿道内残存尿のふき取りに使用される男性用エチケットシートに関する。
【背景技術】
【０００２】
男性の排尿後尿滴下（排尿後に尿道より流出する少量の尿）は、年齢が上がるにつれて尿道機能の低下や膀胱・尿道括約筋機能の低下、あるいは前立腺肥大症等の影響により増加する一般的な症状で、中年期以降の大半の男性が経過する非常に悩ましい症状である。この症状により下着が汚れる等の問題があるほか、悪臭の原因となり周囲にも影響を与えることになる。さらには尿が慢性的に下着に付着することにより細菌や真菌による亀頭や包皮の炎症が発生して中高年以上の男性に対する大きな健康上の問題となってきている。そこで、従来、排尿後尿滴下の原因となる尿道内残存尿（以下、単に残存尿という）をふき取るための紙製の用具が種々提案されている（例えば、特許文献１〜４）。
【０００３】
特許文献１には、排尿後の残存尿を吸収する吸水部と、摘み部とが連接、一体化した携帯可能な男性用衛生用品が開示されており、この男性用衛生用品が横方向に複数個連結された構造となっており、使用時に切れ目で分離して使用する旨が記載されている。特許文献２には、ティッシュを折り畳んで棒状に形成したふき取り部材を複数個容器に収容した用具が開示されている。特許文献３には、排尿後に陰茎を包んで残存尿を拭きとるシート状の残存尿取りシートが開示されており、複数のシートをティッシュペーパーのように容器に収容することにより、使用時に一枚ずつ取り出すことができる旨が記載されている。そして、特許文献４には、吸水性シート、吸水性シートと吸水性シートの裏面や吸水性シートを覆うように防水紙やビニールを設けた男性用携帯用衛生紙が開示されており、複数の男性用携帯用衛生紙を容器に入れて一枚ずつ取り出す旨が記載されている。
【先行技術文献】
【特許文献】
【０００４】
【特許文献１】特開２０００−２２５０７０号公報
【特許文献２】特開平１１−２７６３７５号公報
【特許文献３】登実−３１２７１８８号公報
【特許文献４】特開２０１１−０５０７２６号公報
【発明の概要】
【発明が解決しようとする課題】
【０００５】
しかしながら、特許文献１〜２の用具は、個々の用具が棒状に形成されているので、携帯性に劣るといった問題がある。また、特許文献３、４の用具では、シート状ではあるが、個々のシートが独立しており、複数を携帯するには特別の収納ケースが必要となるなど汎用性に欠ける。
【０００６】
本発明は上記事情に鑑み、携帯性に優れかつ取り扱い性を向上させた男性用エチケットシートを提供することを目的とする。
【課題を解決するための手段】
【０００７】
第１発明の男性用エチケットシートは、男性の排尿後の残存尿のふき取りに使用される用具であり、第一端縁を揃えた状態で複数枚の水分吸収性を有する吸収性シートが積層されており、該吸収性シートの第一端縁が取り外し可能に連結されており、前記吸収性シートは、前記第一端部の背面に貼り直し可能な再剥離接着剤層が設けられていることを特徴とする。
第２発明の男性用エチケットシートは、第１発明において、前記吸収性シートの第一端縁近傍には、破断線が形成されていることを特徴とする。
第３発明の男性用エチケットシートは、第１発明または第２発明において、前記複数の吸収性シートの第一端縁を連結する連結部が設けられており、該連結部は、前記吸収性シートの面方向に沿って切り取り可能に形成されていることを特徴とする。
第４発明の男性用エチケットシートは、第１発明、第２発明または第３発明のいずれかに記載の発明において、前記吸収性シートは、第一面と、該第一面と反対側に位置する第二面と、を備えており、前記第一面および／または前記第二面に凹凸形状が形成されていることを特徴とする。
第５発明の男性用エチケットシートは、第４発明において、前記吸収性シートの前記第一面または前記第二面には、不透水性の不透水性層が設けられていることを特徴とする。
第６発明の男性用エチケットシートは、第５発明において、前記不透水性層が、不透水性の不透水性フィルムで形成されていることを特徴とする。
第７発明の男性用エチケットシートは、第６発明において、前記不透水性フィルムは、貼り直し可能な再剥離接着剤層を介して前記吸収性シートに貼りつけられていることを特徴とする。
第８発明の男性用エチケットシートは、第５発明、第６発明または第７発明のいずれかに記載の発明において、前記吸収性シートは、前記不透水性フィルムが上面に位置するように積層されていることを特徴とする。
第９発明の男性用エチケットシートは、第１発明乃至第８発明のいずれかに記載の発明において、前記吸収性シートは、前記第一端縁に対向する第二端縁を有する第二端部には、前記第二端縁が上面側に折り返された係合部が形成されていることを特徴とする。
第１０発明の男性用エチケットシートは、第１発明乃至第９発明のいずれかに記載の発明において、前記吸収性シートが、水解性を有する素材で形成されていることを特徴とする。
第１１発明の男性用エチケットシートは、第１発明乃至第１０発明のいずれかに記載の発明において、前記吸収性シートは、携帯可能な大きさに形成されていることを特徴とする。
第１２発明の男性用エチケットシートは、第１発明乃至第１１発明のいずれかに記載の発明において、前記用具は、前記積層された吸収性シートを挟み込むように設けられたカバーケースを備えており、該カバーケースは、ベース部材と、蓋部材と、前記ベース部材の基端と前記蓋部材の基端とを連結する背面連結部と、を備えており、前記ベース部材と前記蓋部材の先端部が前記基端部を支点として接近した状態を維持し得るように離間防止部材が設けられていることを特徴する。
【発明の効果】
【０００８】
第１発明によれば、複数の吸収性シートが連結した状態で積層しているので、そのままの状態でもばらけることなく携帯することができる。しかも、所望の枚数を積層状態から分離して携帯することも可能となる。そして、各吸収性シートが一の端部で連結しているので、他端を指で持って引っ張れば簡単に一枚ずつ取り外すことができる。したがって、排尿後の残存尿のふき取り用具の携帯性と取り扱い性を向上させることができ、排尿後尿滴下を抑制することができるようになる。さらに、吸収性シート同士が再剥離接着剤で連結されているので、取り外しが容易となる。しかも、排尿の前に吸収性シートを取り外して手の届く箇所に貼付できるようになっているので、使用時の取り扱い性を向上させることができる。
第２発明によれば、破断線が形成されているので吸収性シートをより取り外し易くできる。
第３発明によれば、連結部により吸収性シートを適切に連結せることができる。連結部が切り取り易い構造であるので、任意の枚数の吸収性シートをまとめて取り外すことができるから、携帯性をより向上させることができる。
第４発明によれば、凹凸形状が形成された面でふき取れば、尿を素早く吸収させることができる。両面に凹凸形状が形成されていれば、手で保持する際の手への接触面積を少なくできるので、使用時の手の汚れるのを抑制することができる。
第５発明、第６発明によれば、不透水性層の面または不透水性フィルムの面を手で保持すれば、使用時に手が汚れるのを確実に防止できる。
第７発明によれば、不透水性フィルムが着脱可能に設けられているので、使用後には不透水性フィルムを剥離して吸収性シートを折りたたんだり、丸めたりした後、不透水性フィルムで被って留めることができるから、使用後の吸収性シートを衛生的に処理することができる。また、吸収性シートが水解性を有する場合には、不透水性フィルムを剥離すれば、吸収性シートをトイレに流すことができる。
第８発明によれば、手で保持する面が上面に位置するようになっているので、使用時の取り扱い性を向上させることができる
第９発明によれば、吸収性シートに係合部が形成されているので、この係合部に指先を係合させれば、吸収性シートをより取り外し易くなる。
第１０発明によれば、吸収性シートが水解性を有する素材で形成されているので、使用後にトイレに流すことができる。
第１１発明によれば、携帯性を向上させることができる。
第１２発明によれば、カバーケースを備えているので、携帯性をより向上させることができる。
【図面の簡単な説明】
【０００９】
【図１】本実施形態の男性用エチケットシート１０の概略説明図であり、（Ａ）は男性用エチケットシート１０の概略斜視図であり、（Ｂ）は吸収性シート１１の概略斜視図であり、（Ｃ）は（Ｂ）の吸収性シート１１のＣ−Ｃ線概略断面図である。
【図２】本実施形態の男性用エチケットシート１０のカバーケース１５を備えた状態の概略説明図であり、（Ａ）は男性用エチケットシート１０の概略斜視図であり、（Ｂ）はカバーケース１５の離間防止部材１９を外して蓋部材１７を開いた状態の概略斜視図であり、（Ｃ）は係合部１１Ｐを備えた吸収性シート１１の概略斜視図であり、（Ｄ）は（Ｃ）の吸収性シート１１のＤ−Ｄ線概略断面図である。
【図３】本実施形態の男性用エチケットシート１０の使用状況の概略説明図である。
【発明を実施するための形態】
【００１０】
本発明の実施形態を図面に基づいて説明する。
本実施形態の男性用エチケットシートは、男性の排尿後尿滴下の原因となる排尿後に尿道に残る残存尿をふき取るために使用される用具であり、携帯性に優れかつ取り扱い性を向上させたことに特徴を有している。
【００１１】
図１に示すように、本実施形態の男性用エチケットシート１０（以下、単に男性用エチケットシート１０という）は、複数枚の水分吸水性を有する吸収性シート１１が積層したものであり、各吸収性シート１１は、第一端縁１１ａが取り外し可能に連結されている。つまり、男性用エチケットシート１０において、吸収性シート１１は、第一端縁１１ａで連結していればよく、他の端縁は自由端（図１では１１ｂ、１１ｃ、１１ｄ）となるように形成されている。
【００１２】
この吸収性シート１１は、積層した際に第一端縁１１ａが揃うように積層することができれば、その形状はとくに限定されない。例えば、矩形状や、楕円形状、円形状など様々な形状を採用することができる。
以下の説明では、図１に示すように、吸収性シート１１の形状として四角形状とした場合を代表として説明する。この場合、一の辺（図１では紙面左側に位置する辺）を第一端縁１１ａとする。なお、第一端縁１１ａが直線の端縁を有するように形成されていれば、後述する連結部１２を設ける際に好ましいという利点が得られる。
【００１３】
図１に示すように、吸収性シート１１は、第一面１１Ａと、この第一面１１Ａと反対側に位置する第二面１１Ｂを有する吸水性のシート状部材である。
【００１４】
この吸収性シート１１は、上述したように尿などの水溶性の溶液を吸水することができる部材であればとくに限定されない。
例えば、紙製や布製、綿製のもののほか、合成樹脂の繊維で形成されたものなど様々な公知の吸収性素材で吸収性シート１１を形成することができる。なお、吸収性シート１１は、公知の吸収性ポリマーを備えた構成であってもよい。例えば、紙製や布製の第一面１１Ａと第二面１１Ｂとの間に収容空間を形成し、この収容空間内に公知の吸収性ポリマーを収容する構造とすることができる。この場合、吸収した尿などを吸収性ポリマーで保持させておくことができるので後処理が行い易くなるという利点がある。
【００１５】
吸収性シート１１は、第一面１１Ａと第二面１１Ｂを透水性を有する素材で形成すれば、いずれの面を使用面（つまり排尿後に尿道に残った残存尿をふき取るためのふき取り面）として使用してもよい。
なお、以下では、図１に示すように、下面に位置する第一面１１Ａをふき取り面として使用し、反対側の上面に位置する第二面１１Ｂを吸収性シート１１を手でつかんだりして保持する保持面として使用する場合を、代表として説明する。
【００１６】
図１に示すように、男性用エチケットシート１０の吸収性シート１１は、上述したように第一端縁１１ａが取り外し可能に連結されている。具体的には、積層状態では第一端縁１１ａで連結した状態であるが、吸収性シート１１のいずれかの自由端１１ｂ、１１ｃ、１１ｄを指で把持して引っ張れば、積層状態から所定の吸収性シート１１を個別に取り外すことができるよう連結されていればよく、その連結手段はとくに限定されない。
なお、以下の説明では、取り外す際に指で把持する端縁を第一端縁１１ａと対向する第二端縁１１ｂとする場合を代表として説明する。
【００１７】
例えば、図１に示すように、各吸収性シート１１の第一端縁１１ａを男性用エチケットシート１０の側壁に設けられた連結部１２で連結することができる。
この連結部１２は、複数の吸収性シート１１の第一端縁１１ａで形成された第一端縁壁（図１（Ａ）では紙面左側の側壁）に設けられた部材であり、図１（Ａ）に示すように、この連結部１２に積層された各吸収性シート１１の第一端縁１１ａが連結している。
【００１８】
この連結部１２は、各吸収性シート１１の第一端縁１１ａを連結できるものであれば、とくに限定されない。例えば、公知のポリウレタン系、エチレン酢酸ビニル系、熱可塑性樹脂などの接着性樹脂を上記第一端縁壁に塗布して連結部１２を形成してもよいし、フィルム状または薄膜状の連結部１２の内面に上記接着性樹脂層を形成し、かかる層を上記第一端縁壁に接するようにして取り付けてもよい。
例えば、接着性樹脂で連結部１２を形成する場合、男性用エチケットシート１０の第一端縁壁に対して上記接着性樹脂を融解したものを塗布し乾燥すれば、簡単に連結部１２を第一端縁壁に設けることができる。
上記ごとき方法で形成した連結部１２は、厚み（吸収性シート１１の面方向の厚み）が薄く（例えば、厚みが０．数ｍｍ以下）なるように形成することができる。このため、連結部１２に対して切れ目を入れれば、小さな力でも簡単に引き裂くことができるようになっている。
【００１９】
以上のごとく、男性用エチケットシート１０は、複数の吸収性シート１１が積層し、各吸収性シート１１が第一端縁１１ａで取り外し可能に連結されているので、特別な収納器具等がなくても、そのままの状態で各吸収性シート１１がばらけることなく携帯することができる。
また、各吸収性シート１１の第一端縁１１ａが連結部１２によって連結されており、連結した連結部１２は、厚みが薄くなるように形成されている。このため、吸収性シート１１の自由端である第二端縁１１ｂ側を指で把持した状態で、吸収性シート１１の第一端縁１１ａのいずれか一方の端に力が入るようにして持ち上げれば、かかる端が連結した連結部１２に対して簡単に切れ目を入れることができる。そして、そのまま手を持ち上げれば、連結部１２を吸収性シート１１の第一端縁１１ａ方向に沿って連結部１２の一部を簡単に切り取ることができる。言い換えれば、連結部１２は、吸収性シート１１の面方向に沿って切り取り可能に形成されているので、切り取られた連結部１２に第一端縁１１ａが連結した吸収性シート１１を積層状態から簡単に取り外すことができる。
【００２０】
しかも、連結部１２は、切取り位置が限定されず、所望の位置で切り取ることができるようになっている。例えば、吸収性シート１１を一枚ずつ取り外す場合には、上方の位置する吸収性シート１１が連結している箇所から切取ることができ、複数枚をまとめて取り外したい場合には、取り外したい枚数の最下層に位置する吸収性シート１１が連結している箇所を切り取ることができる。つまり、必要に応じて、男性用エチケットシート１０から必要な枚数の吸収性シート１１を分離することができるようになっている。しかも、分離した複数枚の吸収性シート１１は分離した連結部１２によって連結されているので、個別にばらけることもない。
このため、必要に応じて（例えば、一日分の５〜６枚程度）を分離した状態でもばらけることなく携帯することができるので、携帯性を向上させることができる。
【００２１】
したがって、使用時において、男性用エチケットシート１０の吸収性シート１１の第二端縁１１ｂを指で把持して引っ張れば一枚ずつ簡単に取り外すことができる（図３（Ａ）参照）。そして、取り外した吸収性シート１１の保持面１１Ｂを手の指でつまむなどして、ふき取り面１１Ａを排尿後の尿道先端に接触させれば、排尿後尿滴下の原因となる残存尿を適切にふき取ることができる（図３（Ｂ）参照）。
このため、男性用エチケットシート１０は、従来の排尿後の残存尿のふき取り用具と比べて、優れた携帯性と取り扱い性を発揮させることができる。つまり汎用性を向上させることにより、排尿後尿滴下を従来の用具と比べて簡便かつ適切に抑制することができるようになるので、かかる症状により下着が汚れる等の問題を適切に抑制することができるようなる。
しかも、上述したように取り扱性を向上させることができるようになるので、衛生上の問題の観点においても優れた効果を発揮させることができる。具体的には、男性用エチケットシート１０が上述したように汎用性に優れた構造であるので、使用者はトイレ環境さえあれば、適切に残存尿を処理することができるようになるので、残存尿により下着が汚れることなどを適切に防止することができるようなる。このため、悪臭の原因を抑制でき、周囲への影響も抑制できのるようになる。
さらに、残存尿により尿が慢性的に下着に付着することで細菌や真菌による亀頭や包皮の炎症を発症するといった症状も抑制することができるようになるので、男性特有の健康問題に寄与することができるようになる。
【００２２】
また、近年、糖尿病の治療薬においては、尿中に糖を排出させる薬が高い頻度で使用されることがある。そして、このような薬を投薬された患者の多くに非常に重症な包皮炎が高い頻度で発症するなど、治療環境の変化などにより従来にはなかった問題が顕在化してきている。今後も新たな治療薬の使用により尿中に様々な物質が排出されることが計画されており、これらの物質による患者の陰茎（亀頭や包皮など）への影響の可能性は将来に渡り増え続けることが推察される。したがって、本実施形態の男性用エチケットシート１０の使用により得られる効果は将来の医療現場においても問題の発生を未然に防ぐといった社会的な意義が大きいといえる。
【００２３】
上記例では、吸収性シート１１の連結手段として、連結部１２を設けた場合を説明したが、かかる構成に限定されず、図１に示すように、吸収性シート１１の第一端縁１１ａを有する第一端縁部の背面（図１では紙面下方に位置する下面の第一面１１Ａ（ふき取り面１１Ａ）側）に設けられた接着剤層１３によって、隣接する吸収性シート１１同士を連結させる構造としてもよい。
【００２４】
具体的には、男性用エチケットシート１０は、連結部１２と接着剤層１３とを備えた構成としてもよいし、それぞれを単独で備えた構成としてもよい。
例えば、男性用エチケットシート１０が連結部１２と接着剤層１３の両方を備えた構成とすれば、吸収性シート１１の連結状態を強くできるので、男性用エチケットシート１０に対してある程度の外力が加わったとしても吸収性シート１１が剥がれにくくできるという利点が得られる。
【００２５】
また、男性用エチケットシート１０が接着剤層１３を単独で備えた構成の場合には、男性用エチケットシート１０は、吸収性シート１１の自由端である第二端縁１１ｂ側を指で把持した状態で吸収性シート１１の第一端縁１１ａのいずれか一方の端に力が入るようにして持ち上げれば、吸収性シート１１を第一端縁１１ａに沿って切り取ることができる。
【００２６】
接着剤層１３の素材は、とくに限定されず、公知の樹脂製接着剤を使用することができる。とくに、接着剤層１３の素材として、貼り直し可能な再剥離接着剤（例えば、アクリル系、ゴム系、シリコーン系、ウレタン系、ポリエステル系の材料を単独または組み合わせたもの）を用いるのが望ましい。このような再剥離接着剤で接着剤層１３を形成すれば、各吸収性シート１１を積層状態から弱い力でも簡単に取り外すことができるようになる。
しかも、接着剤層１３が再剥離接着剤で形成されていれば、取り外した後も貼り直し可能となっているので、吸収性シート１１を所望の箇所に貼りつけておくことができる。この場合、排尿の前に男性用エチケットシート１０から吸収性シート１１を取り外した後、手の届く箇所に貼付しておくことができるので、排尿後に吸収性シート１１を取り外す動作を行わなくてもよくなる。
【００２７】
とくに、男性用エチケットシート１０が接着剤層１３を単独で備えた構成の場合には、接着剤層１３が再剥離接着剤で形成するのが望ましい。この場合、より小さな力で簡単に積層状態の表面に位置する吸収性シート１１を個別に剥離する（取り外す）ことができる。このため、高齢者の人でも簡単に吸収性シート１１の取り外し操作を行うことができる。すると、取り扱い性がより簡単になるので、とくに高齢者の人の排尿後尿滴下をより適切に防止することができるようになる。
【００２８】
とくに、図１に示すように、男性用エチケットシート１０の吸収性シート１１は、第一端縁１１ａ近傍に第一端縁１１ａに対して略平行となるように破断線Ｌが形成するのが望ましい。この場合、吸収性シート１１を取り外す際にこの破断線Ｌに沿って切り取り易くできる。
【００２９】
また、吸収性シート１１の大きさはとくに限定されないが、携帯しやすい大きさに形成するのが望ましい。例えば、吸収性シート１１の形状が、図１に示すような四角形状に形成した場合、一辺が５０ｍｍ〜１００ｍｍ程度となるように形成すれば、ズボンのポケットなどに入れやすくなる。
【００３０】
また、吸収性シート１１は、ふき取り面として使用する第一面１１Ａに凹凸形状を形成してもよい。第一面１１Ａに凹凸形状を形成することにより、排尿後尿滴下の原因となる残存尿を迅速に吸収させることができる。
また、同様の形状を保持面として使用する第二面１１Ｂに形成してもよい。この場合、指で保持面の第二面１１Ｂをつかむ際に、この凹凸形状により指への接触面積を少なくできるので、使用時の手が汚れるのを抑制することができる。
【００３１】
とくに、使用時の手の汚れるのを抑制するためには、保持面として使用する第二面１１Ｂに不透水性を有する不透水性層１４を形成してもよい。この場合、使用時の手が汚れるのを適切に防止することができる。
また、この不透水性層１４の代わりに、図１に示すように、吸収性シート１１の第二面１１Ｂにフィルム状の不透水性の不透水性フィルム１４を設けてもよい。この不透水性フィルム１４は、接着剤を有する接着剤層で吸収性シート１１の第二面１１Ｂに連結させることができる。
【００３２】
なお、上記例では、ふき取り面として第一面１１Ａを使用する場合を説明したが、ふき取り面として第二面１１Ｂを使用してもよく、この場合には、この第二面１１Ｂを上述した第一面１１Ａと同様の構造にすればよい。また、反対側の保持面として使用する第一面１１Ａも同様である。
【００３３】
不透水性フィルム１４を接着させる接着剤は、不透水性フィルム１４と吸収性シート１１を接着することができる素材であれば、とくに限定されない。
例えば、上述した再剥離接着剤を接着剤層の素材として使用してもよい。この場合、不透水性フィルム１４を着脱可能に吸収性シート１１に設けることができる。この場合、使用後に不透水性フィルム１４を剥離して吸収性シート１１を折りたたんだり、丸めたりした後、かかる状態の吸収性シート１１を剥離した不透水性フィルム１４で被うようにして留めれば、かかる状態を維持させることができる。すると、使用後の吸収性シートを衛生的に処理することができる。しかも、吸収性シート１１が後述する水解性を有する素材で形成されている場合には、不透水性フィルム１４を剥離すれば、吸収性シート１１をトイレに流すことができるという利点も得られる。
【００３４】
吸収性シート１１は、上述したように紙製や布製等のもので形成することができるが、これらの素材が水解性を有するもので形成してもよい。
具体的には、吸収性シート１１を多量の水に接触させれば、バラバラに分散した状態になるような素材で形成してもよい。このような水解性を有する素材は特に限定されず、公知の水溶性バインダーなどでパルプ繊維等が連結された水解性紙または水分散紙とよばれるもので吸収性シート１１を形成してもよい。また、成形する際に上述した吸収性ポリマーを内添させれば、水解性を発揮させつつ吸収性を向上させた吸収性シート１１を一体形成することができる。
【００３５】
とくに、図２に示すように、吸収性シート１１は、第一端縁１１ａに対向する第二端縁１１ｂを有する第二端部に、この第二端縁１１ｂが上面側（図２では紙面上方側）に折り返された係合部１１ｐを形成してもよい。
吸収性シート１１の第二端縁部に係合部１１ｐが形成されていれば、複数の吸収性シート１１が積層された状態でもこの係合部１１ｐによって隣接する吸収性シート１１同士に隙間を形成することができる。このため、隣接する吸収性シート１１同士が静電気等で密着するような現象を防止できるので、吸収性シート１１を一枚ずつ取り外し易くなる。しかも、取り外す際には、この係合部１１ｐに指先を係合させればよいので、吸収性シート１１を一枚ずつ適切に指で把持することができるから、吸収性シートをより取り外し易くできるという利点も得られる。
【００３６】
また、図２に示すように、積層された複数の吸収性シート１１を挟み込むようなカバーケース１５を備えた構成としてもよい。
【００３７】
図２に示すように、このカバーケース１５は、板状のベース部材１６と、板状の蓋部材１７と、両者基端（図２ではベース部材１６の紙面左側の端縁と蓋部材１７の紙面左側の端縁）を連結する背面連結部１８と、を備えている。ベース部材１６と蓋部材１７は、両基端に連結された背面連結部１８を支点として各先端（図２では紙面左側端縁）を揺動させることができるようになっている。つまり、図２に示すように、蓋部材１７は、ベース部材１６を下にして載置した状態において、基端を支点として先端を上方に揺動させることができるようにその基端とベース部材１６の基端が背面連結部１８によって連結されている。このため、かかる状態において、蓋部材１７の先端を上方に揺動させれば、蓋部材１７を開いて内部に収容した複数の吸収性シート１１を取り出せるようにできる。
【００３８】
また、図２に示すように、このカバーケース１５は、ベース部材１６と蓋部材１７の先端部同士が接近した状態を維持し得るように離間防止部材１９を設けてもよい。この離間防止部材１９は、ベース部材１６と蓋部材１７の先端部が接近した状態を維持できるように形成されていれば、とくに限定されない。例えば、離間防止部材１９は、ひも状の部材であり、一の端部をベース部材１６の先端部に連結し、他方の端部を蓋部材１７の先端部に着脱可能に連結することができるように形成することができる。また、図２に示すように、離間防止部材１９は、環ゴム状の部材であり、一方をベース部材１６および／または蓋部材１７の先端部に連結するように形成することができる。
【００３９】
カバーケース１５と上記のごとき構成とすれば、図２（Ａ）に示すように、ベース部材１６と蓋部材１７との間に積層された複数の吸収性シート１１を挟み込むようにして保持させておくことができるので、携帯性を向上させることができる。
とくに、図２（Ａ）に示すように、離間防止部材１９を設ければ、ベース部材１６と蓋部材１７の先端部が離間しないように維持できるので、複数の吸収性シート１１を挟み込んだ状態でしっかりと保持させることができる。
【産業上の利用可能性】
【００４０】
本発明の男性用エチケットシートは、男性の排尿後尿滴下のふき取りに使用される用具として適している。
【符号の説明】
【００４１】
１０      男性用エチケットシート
１１      吸収性シート
１１ａ    吸収性シートの第一端縁
１２      連結部
１３      接着剤層
１４      不透水性フィルム
１５      カバーケース
【要約】
【課題】携帯性に優れかつ取り扱い性を向上させた男性用エチケットシートを提供する。
【解決手段】男性の排尿後の残存尿のふき取りに使用される用具であり、第一端縁１１ａを揃えた状態で複数枚の水分吸収性を有する吸収性シート１１が積層されており、吸収性シート１１の第一端縁１１ａが取り外し可能に連結されている。そのままの状態でもばらけることなく携帯することができる。各吸収性シート１１が一の端部で連結しているので、他端を指で持って引っ張れば簡単に一枚ずつ取り外すことができる。したがって、排尿後の残存尿のふき取り用具の携帯性と取り扱い性を向上させることができ、排尿後尿滴下を抑制することができるようになる。
【選択図】図１【図１】
0006899601.tif 000002
【図２】
0006899601.tif 000003
【図３】
0006899601.tif 000004